(57)【要約】【課題】簡易な構造で、ホールドアを的確に安定して所望の開き位置に固定することができるエレベータのホールドア固定具を提供する。【解決手段】自閉装置を備えるエレベータのホールドア３のドアパネル３ａを所望の開き位置に固定するための固定具１０であり、この固定具１０は、摩擦係数が大きく、かつ弾性を有する材料で形成され、ドアパネル３の移動をガイドする敷居５のガイド溝５ａ内へ差し込むことが可能で、その差し込みでドアパネル３を開き位置に固定する。この固定具１０は、断面形状が逆台形状で、その上辺部の幅がガイド溝５の幅より大きく、下辺部の幅がガイド溝の幅より小さい寸法である。【選択図】    図４
2013237530.tif 000002
【特許請求の範囲】
【請求項１】
自閉装置を備えるエレベータのホールドアのドアパネルを所望の開き位置に固定するための固定具であって、
摩擦係数が大きく、かつ弾性を有する材料で形成され、前記ドアパネルの移動をガイドする敷居のガイド溝内へ差し込むことが可能で、その差し込みで前記ドアパネルを開き位置に固定することを特徴とするエレベータのホールドア固定具。
【請求項２】
断面形状が逆台形状で、その上辺部の幅が前記ガイド溝の幅より大きく、下辺部の幅が前記ガイド溝の幅より小さい寸法であることを特徴とする請求項１に記載のエレベータのホールドア固定具。
【発明の詳細な説明】
【技術分野】
【０００１】
この発明の実施形態は、エレベータのホールドアをその自閉力に抗して開き位置に固定するホールドア固定具に関する。
【背景技術】
【０００２】
建物の各階のエレベータホールには、エレベータのかごに対して乗降する乗降口が設けられ、その乗降口にホールドアが設置されている。乗降口は通常時にはホールドアで閉鎖されていて、昇降路内を昇降するかごがエレベータホールに着床して停止した後にホールドアが駆動装置の動力を受けて戸開する。
【０００３】
一方、昇降路内の保守点検の際には、作業員がホールドアを手動で開き、そのホールドアを所望の開き位置に固定し、この状態で乗降口から昇降路内に入り込んで保守点検の作業を行なう。ホールドアは自閉装置を備え、その自閉装置により常時戸閉方向に付勢されている。したがって、ホールドアを手動で開くときには、その自閉装置による自閉力に抗してホールドアを戸開方向に移動し、所望の開き位置でホールドアを固定する必要がある。
【０００４】
従来、ホールドアを開き位置に固定する手段としては、金属製のくさび状部材をホールドアと敷居との間の隙間に差し込んだり、敷居の近傍に回動可能にストッパ部材を設け、そのストッパ部材を回動することで、ホールドアを固定する手段が知られている。
【先行技術文献】
【特許文献】
【０００５】
【特許文献１】特開平８−９１７４７号公報
【発明の概要】
【発明が解決しようとする課題】
【０００６】
しかしながら、金属製のくさび部材ではすべりが生じやすく、ホールドアの固定状態が不安定となる懸念があり、また回動可能なストッパ部材を敷居の近傍に設置する手段では、構造が複雑となり、コストが嵩み、またストッパ部材を設置した位置でしかホールドアを固定することができない。
【０００７】
この発明の実施形態は、簡易な構造で、ホールドアを的確に安定して所望の開き位置に固定することができるエレベータのホールドア固定具を提供することを目的としている。
【課題を解決するための手段】
【０００８】
このような課題を解決するために、請求項１の発明は、自閉装置を備えるエレベータのホールドアのドアパネルを所望の開き位置に固定するための固定具であって、摩擦係数が大きく、かつ弾性を有する材料で形成され、前記ドアパネルの移動をガイドする敷居のガイド溝内へ差し込むことが可能で、その差し込みで前記ドアパネルを開き位置に固定することを特徴としている。
【０００９】
請求項２の発明は、固定具の断面形状が逆台形状で、その上辺部の幅が前記ガイド溝の幅より大きく、下辺部の幅が前記ガイド溝の幅より小さい寸法であることを特徴としている。
【図面の簡単な説明】
【００１０】
【図１】この発明の一実施形態に係るエレベータのホールドアを示す斜視図。
【図２】図１中のＡ−Ａ線に沿う断面図。
【図３】この発明の一実施形態に係るホールドア固定具を示す斜視図。
【図４】その固定具でホールドアを開き位置に固定した状態を示す斜視図。
【図５】その固定具でホールドアを開き位置に固定した状態を示す断面図。
【発明を実施するための形態】
【００１１】
以下、この発明の実施の形態について図面を参照して説明する。
【００１２】
図１に示すように、建屋のエレベータホールには乗降口１が設けられている。この乗降口１の脇にはホール操作盤２が設けられ、このホール操作盤２にかご呼び用の操作ボタン２ａ，２ｂが配設されている。
【００１３】
乗降口１にはホールドア３が設置され、このホールドア３により乗降口１が開閉される。乗降口１には三方枠４が据え付けられている。この三方枠４は両側の一対の側板４ａと、上部の幕板４ｂとで門形に構成され、この三方枠４の背面側にホールドア３が配置されている。
【００１４】
ホールドア３は、例えば左右に並ぶ一対のドアパネル３ａを備え、これら一対のドアパネル３ａが互いに左右の逆方向に移動することで乗降口１を開閉する両開き式構造となっている。各ドアパネル３ａは、その上部が乗降口１の背面側上部に架設されたハンガーレール（図示せず）に懸架され、そのハンガーレールに沿って左右に移動する。またホールドア３には、各ドアパネル３ａを戸閉方向に付勢する自閉装置（図示せず）が付設されている。
【００１５】
三方枠４の下部背方側には、図１及び図２に示すように、エレベータホールの床面と面一に敷居５が据え付けられ、この敷居５の上にドアパネル３ａが配置されている。敷居５の表面にはその長手方向に沿って幅がＨのガイド溝５ａが形成されている。
【００１６】
各ドアパネル３ａの下端面にはガイドシュー６が取り付けられ、これらガイドシュー６が敷居５のガイド溝５ａ内に摺動自在に嵌合され、その嵌合で各ドアパネル３ａの移動がガイドされる。
【００１７】
図３には、ドアパネル３ａを所望の開き位置に固定するための固定具１０を示してある。この固定具１０は、ゴムなどの摩擦係数が大きく、かつ適度な弾性を有する材料で形成されている。そしてこの固定具１０は、幅の広い上辺部１０ａと、幅の狭い下辺部１０ｂとを有する断面逆台形状をなし、上辺部１０ａの幅Ｗａが敷居５のガイド溝５ａの幅Ｈより大きく、下辺部１０ｂの幅Ｗｂが敷居５のガイド溝５ａの幅Ｈより小さくなっている。
【００１８】
エレベータの保守点検時には、戸閉状態にあるドアパネル３ａをその自閉力に抗して必要な幅だけ作業員による手動操作で開き、その開き位置に固定具１０を用いてドアパネル３ａを固定する。そしてこの状態で作業員が乗降口１から昇降路内に入り込み、作業を行なう。
【００１９】
ドアパネル３ａの固定に当っては、図４及び図５に示すように、固定具１０を敷居５のガイド溝５ａ内に差し込むことにより行なう。すなわち、固定具１０を下辺部１０ｂを下に向けてガイド溝５ａ内に差し込み、この固定具１０の端面にドアパネル３ａの戸当り側端面を当てることで、ドアパネル３ａをその自閉力に抗して所望の位置に固定する。固定具１０は、上辺部１０ａの幅Ｗａがガイド溝５ａの幅Ｈより大きく、下辺部１０ｂの幅Ｗｂがガイド溝５ａの幅Ｈより小さくなっているから、下辺部１０ｂを下に向けてガイド溝５ａ内に差し込むことで、固定具１０の両側面がガイド溝５ａの内側面に弾性的に圧着する。そして、固定具１０の材料が摩擦係数の大きな素材であるから、固定具１０が敷居５に強固に定着し、したがってこの固定具１０を介してドアパネル３ａを安定して開き位置に固定することができる。
【００２０】
なお、一対のドアパネル３ａは互いに連動する構造となっているから、そのいずれか一方を固定具１０を用いて固定すれば双方のドアパネル３ａを開き状態に保持することができる。もちろん、双方のドアパネル３ａをそれぞれ固定具１０で固定する場合であっても差し支えない。
【００２１】
また、前記実施形態は、一対のドアパネルが左右に移動して乗降口を開閉する両開き式構造のホールドアとしたが、一枚のドアパネルが左右に移動して乗降口を開閉する片開き式構造、複数枚のドアパネルが同じ方向に異なる速度で移動して乗降口を開閉する片開き多段速式構造などの各種形式のホールドアにおいてもこの発明の実施形態を適用することができる。
【００２２】
すなわち、前記実施形態は、例として提示したものであり、発明の範囲を限定することは意図していない。この発明の新規な実施形態は、その他の様々な形態とすることが可能であり、発明の要旨を逸脱しない範囲で、種々の省略、置き換え、変更を行うことができる。その実施形態やその変形は、発明の範囲や要旨に含まれるとともに、特許請求の範囲に記載された発明とその均等の範囲に含まれる。
【符号の説明】
【００２３】
１…乗降口
３…ホールドア
３ａ…ドアパネル
４…三方枠
５…敷居
５ａ…ガイド溝
６…ガイドシュー
１０…固定具
【図１】
2013237530.tif 000003
【図２】
2013237530.tif 000004
【図３】
2013237530.tif 000005
【図４】
2013237530.tif 000006
【図５】
2013237530.tif 000007